(57)【要約】  外部から紙葉類を内部に取り込み、この取り込まれた紙葉類を内部で収容する紙葉類処理機１が提供される。この紙葉類処理機１は、外部から取り込まれた紙葉類を積層状態で収容するための収容スペース３０ｐ、４０ｐが内部に設けられており、当該収容スペース３０ｐ、４０ｐに収容された紙葉類を取り出すための開口を側面に有するような集積部３０、４０と、外部から取り込まれた紙葉類を前記集積部３０、４０に搬送する搬送部２０とを備えている。さらに、集積部３０、４０の収容スペース３０ｐ、４０ｐに収容された紙葉類を開口に向かって押し出すための押出部が設けられている。
2009028072.tif 000002
【特許請求の範囲】
【請求項１】
外部から紙葉類を内部に取り込み、この取り込まれた紙葉類を内部で収容するような紙葉類処理機であって、
外部から取り込まれた紙葉類を収容するための収容スペースが内部に設けられており、当該収容スペースに収容された紙葉類を取り出すための開口を側面に有するような集積部と、
外部から取り込まれた紙葉類を前記集積部に搬送する搬送部と、
前記集積部の前記収容スペースに収容された紙葉類を前記開口に向かって押し出すための押出部と、
を備えたことを特徴とする紙葉類処理機。
【請求項２】
前記集積部は複数設けられており、前記押出部は前記各集積部に対応するよう複数設けられていることを特徴とする請求項１記載の紙葉類処理機。
【請求項３】
前記搬送部に介設され、当該搬送部において搬送される紙葉類の検知を行う第１の検知部と、
前記押出部の制御を行う制御部と、
を更に備え、
前記制御部は、予め設定された枚数の紙葉類が前記集積部に送られたことが前記第１の検知部により検知された場合に、当該集積部の前記押出部が前記収容スペースに収容された紙葉類を前記開口に向かって押し出すよう前記押出部の制御を行うことを特徴とする請求項１記載の紙葉類処理機。
【請求項４】
前記押出部の制御を行う制御部を更に備えており、
前記制御部は、前記集積部における紙葉類の収容枚数が、予め設定された当該集積部の最大収容枚数に達した場合に、当該集積部の前記押出部が前記収容スペースに収容された紙葉類を前記開口に向かって押し出すよう前記押出部の制御を行うことを特徴とする請求項１記載の紙葉類処理機。
【請求項５】
前記集積部に設けられ、当該集積部の前記収容スペースに紙葉類が収容されているか否かを検知する第２の検知部を更に備え、前記制御部は前記押出部のみならず前記搬送部の制御をも行うようになっており、
前記制御部は、予め設定された枚数の紙葉類が前記集積部に送られたことが前記第１の検知部により検知された場合に前記搬送部による紙葉類の搬送を中断させ、この集積部において前記押出部により前記開口に向かって押し出された紙葉類が当該集積部から抜き取られたことが前記第２の検知部により検知された場合に、前記搬送部による紙葉類の搬送を再開させるよう前記押出部および前記搬送部の制御を行うことを特徴とする請求項３記載の紙葉類処理機。
【請求項６】
前記制御部は前記押出部のみならず前記搬送部の制御をも行うようになっており、
前記制御部は、予め設定された枚数の紙葉類が前記集積部に送られたことが前記第１の検知部により検知された場合に前記搬送部による紙葉類の搬送を中断させ、この集積部において前記押出部により前記開口に向かって紙葉類が押し出された後に前記搬送部による紙葉類の搬送を再開させ、前記集積部において前記押し出された紙葉類の上面に新たに紙葉類を送るよう前記押出部および前記搬送部の制御を行うことを特徴とする請求項３記載の紙葉類処理機。
【請求項７】
前記押出部を制御するための制御部が更に設けられており、
前記制御部は、前記搬送部による前記集積部への紙葉類の搬送処理が終了した場合に、当該集積部の前記押出部が前記収容スペースに収容された紙葉類を前記開口に向かって押し出すよう前記押出部の制御を行うことを特徴とする請求項１記載の紙葉類処理機。
【請求項８】
前記集積部の内部にある収容スペースは、底面ならびに一または複数の側面に囲まれた空間からなり、前記各側面のうち一の側面には、前記搬送部から前記集積部に送られた紙葉類を前記収容スペース内で集積させるための羽根車が設けられており、
前記収容スペースを構成する底面は、前記羽根車が設けられた一の側面に向かって鉛直方向下方に傾斜するようになっていることを特徴とする請求項１記載の紙葉類処理機。
【請求項９】
前記集積部の内部にある収容スペースは、底面ならびに一または複数の側面に囲まれた空間からなり、
前記底面において、前記集積部の開口側の端縁に切り欠き部分が形成されていることを特徴とする請求項１記載の紙葉類処理機。
【請求項１０】
前記押出部は、前記集積部の前記収容スペースに収容された紙葉類に接触して当該紙葉類を前記開口に向かって押し出す押出部材と、当該押出部材を前記開口に向かって駆動する押出部材駆動機構とを有することを特徴とする請求項１記載の紙葉類処理機。
【請求項１１】
前記押出部材は、前記収納スペースに紙葉類が集積される際にこの紙葉類から退避したような退避位置と、この退避位置よりも前記開口に接近した位置である押出位置との間で往復移動するようになっており、当該押出部材は、前記集積部に紙葉類が集積される際には前記退避位置で待機し、前記押出部材が前記退避位置から前記押出位置に移動したときに当該押出部材が前記収容スペースに収容された紙葉類を前記開口に向かって押し出すことを特徴とする請求項１０記載の紙葉類処理機。
【請求項１２】
前記押出部材は、前記退避位置にあるときにおいて前記集積部の前記収容スペースの奥側の側面を構成しており、当該押出部材は、前記集積部における前記収容スペースを構成する他の側面および底面と互いに噛み合うような櫛歯形状となっていることを特徴とする請求項１１記載の紙葉類処理機。
【請求項１３】
前記押出部材は、その上面に紙葉類が集積されて当該押出部材の移動とともにこの押出部材上にある紙葉類も移動するようになっており、当該押出部材は、前記集積部における前記収容スペースを構成する側面と互いに噛み合うような櫛歯形状となっていることを特徴とする請求項１０記載の紙葉類処理機。
【請求項１４】
前記押出部は、前記押出部材の位置を検知するための第３の検知部を複数有し、前記押出部材駆動機構は、前記各第３の検知部による検知情報に基づいて前記押出部材を複数の位置に停止させることができるようになっていることを特徴とする請求項１３記載の紙葉類処理機。
【請求項１５】
前記集積部における開口は、当該開口から紙葉類を取り出す方向が前記搬送部から前記集積部へ紙葉類が送られる方向と略直交するような位置に設けられていることを特徴とする請求項１記載の紙葉類処理機。
【請求項１６】
前記搬送部から前記集積部へ紙葉類が送られる方向は、紙葉類の短手方向であることを特徴とする請求項１５記載の紙葉類処理機。
【請求項１７】
前記搬送部から前記集積部へ紙葉類が送られる方向は、紙葉類の長手方向であることを特徴とする請求項１５記載の紙葉類処理機。
【請求項１８】
前記集積部は、前記押出部により前記開口に向かって押し出された紙葉類の端縁に接触してこの紙葉類の端縁を揃えるための紙葉類押さえ部材を更に有することを特徴とする請求項１記載の紙葉類処理機。
【請求項１９】
前記紙葉類押さえ部材は、前記集積部から紙葉類を取り出す方向へ向かって動かすことができるようになっていることを特徴とする請求項１８記載の紙葉類処理機。
【発明の詳細な説明】
【技術分野】
【０００１】
本発明は、外部から紙葉類を内部に取り込み、この取り込まれた紙葉類を内部で収容するような紙葉類処理機に関する。
【背景技術】
【０００２】
従来より、顧客から預かった紙幣を金種別に分類して内部に収容することができるような紙幣処理機が知られている。このような紙幣処理機においては、紙幣の入金動作を行う際に、まず紙幣がホッパに受け入れられ、このホッパに受け入れられた紙幣は紙幣繰出装置により１枚ずつ紙幣処理機の内部に繰り入れられるようになっている。【０００３】
紙幣処理機の内部に繰り入れられた紙幣は、まず、搬送路に介設された識別部により正損、真偽、金種、方向、表裏、搬送状態等が検知される。その後、識別部において識別を行うことができなかった紙幣（例えば、破損した紙幣である損券等）や、識別が行われたが異常搬送状態（例えば、斜行等）にあるため集積部への収容対象から除外された紙幣は、紙幣処理機の内部に設けられたリジェクト部に送られる。【０００４】
一方、紙幣処理機の内部に収容すべきであると識別部により判定された紙幣は、識別部による識別結果に基づいて例えば金種別に仕分けされ、各金種に対応する集積部に選択的に送られる。そして、各集積部において紙幣が積層状態で収容される。このようにして、紙幣処理機のホッパに受け入れられた紙幣は金種別に分けられてこの紙幣処理機に収容されることとなる。【０００５】
なお、上述のような紙幣処理機としては、例えば日本国特許公開公報である特開２００２−７４４６４号公報に開示されるものが知られている。
【発明の開示】
【０００６】
しかしながら、特開２００２−７４４６４号公報等に示される従来の紙幣処理機においては、搬送路から集積部に送られる紙幣は、当該集積部の奥方に集積されるため、集積部に集積された紙幣をオペレータが取り出しにくいという問題があった。とりわけ、ユーロ紙幣等のような長手方向の寸法が短い紙幣を紙幣処理機に収容させる場合には、このような紙幣の集積状態をオペレータは目視にて確認しにくく、紙幣の取り忘れ等のトラブルが発生するおそれがある。
【０００７】
また、上述のような従来の紙幣処理機においては、集積部において一部の紙幣の集積状態が異常であった場合には、具体的には例えば一部の紙幣が立位状態で集積部に収容された場合には、正常に集積された積層状態の紙幣の束のみを取り出し、異常状態にある一部の紙幣を集積部から取り忘れることがあるという問題があった。
【０００８】
本発明は、このような点を考慮してなされたものであり、集積部の奥方に収容された紙葉類を当該集積部の開口に向かって押し出すことによりこの紙葉類を取り出しやすくすることができ、また、集積部において集積状態が異常となっている紙葉類をも当該集積部の開口に向かって押し出すことにより集積状態が異常である紙葉類を集積部から取り忘れてしまうことを防止することができる紙葉類処理機を提供することを目的とする。
【０００９】
本発明の紙葉類処理機は、外部から紙葉類を内部に取り込み、この取り込まれた紙葉類を内部で収容するような紙葉類処理機であって、外部から取り込まれた紙葉類を収容するための収容スペースが内部に設けられており、当該収容スペースに収容された紙葉類を取り出すための開口を側面に有するような集積部と、外部から取り込まれた紙葉類を前記集積部に搬送する搬送部と、前記集積部の前記収容スペースに収容された紙葉類を前記開口に向かって押し出すための押出部と、を備えたことを特徴とする。
【００１０】
このような紙葉類処理機によれば、集積部の収容スペースの奥方に積層状態や立位状態等で収容された紙葉類は、押出部により集積部の開口（オペレータから見て手前側）に向かって押し出されることとなる。このため、オペレータは、集積部の収容スペースに収容された紙葉類を取り出しやすくなる。なお、押出部による紙葉類の押出方向は、略水平方向であってもよく、あるいは斜め上方方向または斜め下方方向であってもよい。また、集積部において集積状態が異常となっている紙葉類、具体的には例えば通常は積層状態で収容されるべきなのに立位状態で集積部に収容されている紙葉類をも当該集積部の開口に向かって押し出すことができるので、集積状態が異常である紙葉類をオペレータが集積部から取り忘れてしまうことを防止することができる。
【００１１】
本発明の紙葉類処理機においては、前記集積部は複数設けられており、前記押出部は前記各集積部に対応するよう複数設けられていることが好ましい。このような紙葉類処理機によれば、複数の種類の紙葉類をその種類別に、具体的には例えば金種別に、各集積部に分類して収容させることができるようになる。
【００１２】
本発明の紙葉類処理機においては、前記搬送部に介設され、当該搬送部において搬送される紙葉類の検知を行う第１の検知部と、前記押出部の制御を行う制御部と、を更に備え、前記制御部は、予め設定された枚数の紙葉類が前記集積部に送られたことが前記第１の検知部により検知された場合に、当該集積部の前記押出部が前記収容スペースに収容された紙葉類を前記開口に向かって押し出すよう前記押出部の制御を行うことが好ましい。このような紙葉類処理機によれば、オペレータは紙葉類を所定枚数の束ごとに集積部から取り出すことができるようになる。
【００１３】
本発明の紙葉類処理機においては、前記押出部の制御を行う制御部を更に備えており、前記制御部は、前記集積部における紙葉類の収容枚数が、予め設定された当該集積部の最大収容枚数に達した場合に、当該集積部の前記押出部が前記収容スペースに収容された紙葉類を前記開口に向かって押し出すよう前記押出部の制御を行うことが好ましい。このような紙葉類処理機によれば、集積部にこれ以上紙葉類を収容することができなくなった場合に収容スペースに収容された紙葉類が集積部の開口に向かって押し出されるので、オペレータは集積部の最大収容枚数の束からなる紙葉類を集積部から取り出すことができるようになる。
【００１４】
本発明の紙葉類処理機においては、前記集積部に設けられ、当該集積部の前記収容スペースに紙葉類が収容されているか否かを検知する第２の検知部を更に備え、前記制御部は前記押出部のみならず前記搬送部の制御をも行うようになっており、前記制御部は、予め設定された枚数の紙葉類が前記集積部に送られたことが前記第１の検知部により検知された場合に前記搬送部による紙葉類の搬送を中断させ、この集積部において前記押出部により前記開口に向かって押し出された紙葉類が当該集積部から抜き取られたことが前記第２の検知部により検知された場合に、前記搬送部による紙葉類の搬送を再開させるよう前記押出部および前記搬送部の制御を行うことが好ましい。このような紙葉類処理機によれば、オペレータは紙葉類を所定枚数の束ごとに集積部から取り出すことができるようになり、しかも、オペレータが紙葉類の束を集積部から取り出した後に当該集積部への紙葉類の収容を自動的に再開させることができる。
【００１５】
本発明の紙葉類処理機においては、前記制御部は前記押出部のみならず前記搬送部の制御をも行うようになっており、前記制御部は、予め設定された枚数の紙葉類が前記集積部に送られたことが前記第１の検知部により検知された場合に前記搬送部による紙葉類の搬送を中断させ、この集積部において前記押出部により前記開口に向かって紙葉類が押し出された後に前記搬送部による紙葉類の搬送を再開させ、前記集積部において前記押し出された紙葉類の上面に新たに紙葉類を送るよう前記押出部および前記搬送部の制御を行うことが好ましい。このような紙葉類処理機によれば、集積部において、紙葉類を所定枚数の束ごとにその位置をずらすことができるようになるので、オペレータは紙葉類を前述の所定枚数の束ごとに集積部から取り出すことができるようになる。
【００１６】
本発明の紙葉類処理機においては、前記押出部を制御するための制御部が更に設けられており、前記制御部は、前記搬送部による前記集積部への紙葉類の搬送処理が終了した場合に、当該集積部の前記押出部が前記収容スペースに収容された紙葉類を前記開口に向かって押し出すよう前記押出部の制御を行うことが好ましい。このような紙葉類処理機によれば、集積部への紙葉類の搬送が終了した後に、オペレータは紙葉類の束を集積部から取り出すことができるようになる。
【００１７】
本発明の紙葉類処理機においては、前記集積部の内部にある収容スペースは、底面ならびに一または複数の側面に囲まれた空間からなり、前記各側面のうち一の側面には、前記搬送部から前記集積部に送られた紙葉類を前記収容スペース内で集積させるための羽根車が設けられており、前記収容スペースを構成する底面は、前記羽根車が設けられた一の側面に向かって鉛直方向下方に傾斜するようになっていることが好ましい。このような紙葉類処理機によれば、収容スペースを構成する底面が斜面となっていることにより、この斜面からなる底面上で紙葉類の束が斜めに傾いた状態で集積され、羽根車が設けられた一の側面において紙葉類の端縁を揃えることができるようになる。
【００１８】
本発明の紙葉類処理機においては、前記集積部の内部にある収容スペースは、底面ならびに一または複数の側面に囲まれた空間からなり、前記底面において、前記集積部の開口側の端縁に切り欠き部分が形成されていることが好ましい。このような紙葉類処理機によれば、押出部により開口に向かって押し出された紙葉類について、オペレータは、紙葉類が集積された底面における開口側の端縁に形成された切り欠き部に指等を入れることにより、この押し出された紙葉類を容易に集積部から取り出すことができるようになる。
【００１９】
本発明の紙葉類処理機においては、前記押出部は、前記集積部の前記収容スペースに収容された紙葉類に接触して当該紙葉類を前記開口に向かって押し出す押出部材と、当該押出部材を前記開口に向かって駆動する押出部材駆動機構とを有することが好ましい。
【００２０】
この場合、前記押出部材は、前記収納スペースに紙葉類が集積される際にこの紙葉類から退避したような退避位置と、この退避位置よりも前記開口に接近した位置である押出位置との間で往復移動するようになっており、当該押出部材は、前記集積部に紙葉類が集積される際には前記退避位置で待機し、前記押出部材が前記退避位置から前記押出位置に移動したときに当該押出部材が前記収容スペースに収容された紙葉類を前記開口に向かって押し出すことがより好ましい。このような紙葉類処理機によれば、退避位置にある押出部材が押出位置に移動することにより、集積部の収容スペースに収容された紙葉類を当該集積部の開口に向かって押し出すことができるようになる。
【００２１】
本発明の紙葉類処理機においては、前記押出部材は、前記退避位置にあるときにおいて前記集積部の前記収容スペースの奥側の側面を構成しており、当該押出部材は、前記集積部における前記収容スペースを構成する他の側面および底面と互いに噛み合うような櫛歯形状となっていることが好ましい。このような紙葉類処理機によれば、収容スペースに収容された紙葉類が、当該収容スペースを構成する側面や底面と押出部材との間の隙間に入り込んでしまい集積部において紙葉類の詰まり等のトラブルが発生することを防止することができる。
【００２２】
本発明の紙葉類処理機においては、前記押出部材は、その上面に紙葉類が集積されて当該押出部材の移動とともにこの押出部材上にある紙葉類も移動するようになっており、当該押出部材は、前記集積部における前記収容スペースを構成する側面と互いに噛み合うような櫛歯形状となっていることが好ましい。このような紙葉類処理機によれば、紙葉類を押出部材の上面に載せることによりこの紙葉類を開口に向かって移動させることができる。また、収容スペースに収容された紙葉類が、当該収容スペースを構成する側面と押出部材との間の隙間に入り込んでしまい集積部において紙葉類の詰まり等のトラブルが発生することを防止することができる。
【００２３】
上述の紙葉類処理機においては、前記押出部は、前記押出部材の位置を検知するための第３の検知部を複数有し、前記押出部材駆動機構は、前記各第３の検知部による検知情報に基づいて前記押出部材を複数の位置に停止させることが更に好ましい。この場合には、押出部材を複数の位置に停止させることができることにより、この押出部材上に載置された紙葉類も複数の位置に停止させることができるようになる。このため、紙葉類を所定枚数の束ごとにその位置をずらすことができるようになるので、オペレータは紙葉類を所定枚数の束ごとに集積部から取り出すことができるようになる。
【００２４】
本発明の紙葉類処理機においては、前記集積部における開口は、当該開口から紙葉類を取り出す方向が前記搬送部から前記集積部へ紙葉類が送られる方向と略直交するような位置に設けられていることが好ましい。
【００２５】
この場合、前記搬送部から前記集積部へ紙葉類が送られる方向は、紙葉類の短手方向であってもよい。このときには、オペレータは紙葉類をその長手方向に集積部から取り出すことができるようになる。
【００２６】
あるいは、前記搬送部から前記集積部へ紙葉類が送られる方向は、紙葉類の長手方向であってもよい。このときには、オペレータは紙葉類をその短手方向に集積部から取り出すことができるようになる。
【００２７】
本発明の紙葉類処理機においては、前記集積部は、前記押出部により前記開口に向かって押し出された紙葉類の端縁に接触してこの紙葉類の端縁を揃えるための紙葉類押さえ部材を更に有することが好ましい。このような紙葉類処理機によれば、押出部により集積部の開口に向かって押し出された紙葉類の端縁を容易に揃えることができるようになる。
【００２８】
上述の紙葉類処理機においては、前記紙葉類押さえ部材は、前記集積部から紙葉類を取り出す方向へ向かって動かすことができるようになっていることが更に好ましい。このことにより、オペレータは容易に紙葉類の束を集積部から手前側に引き出すことができるようになる。
【図面の簡単な説明】
【００２９】
【図１】本発明の一の実施の形態における紙幣処理機（紙葉類処理機）の外観を示す斜視図である。
【図２】図１に示す紙幣処理機の正面図である。
【図３】図２に示す紙幣処理機のＡ−Ａ矢視断面図であって、押出部の押出部材が退避位置にあるときの状態を示す図である。
【図４】図２に示す紙幣処理機のＡ−Ａ矢視断面図であって、押出部の押出部材が押出位置にあるときの状態を示す図である。
【図５】図１に示す紙幣処理機の内部構成の概略を示す概略構成図である。
【図６】図１に示す紙幣処理機の集積部の構成を示す斜視図であって、押出部の押出部材が退避位置にあるときの状態を示す図（図３に対応する図）である。
【図７】図１に示す紙幣処理機の集積部の構成を示す斜視図であって、押出部の押出部材が押出位置にあるときの状態を示す図（図４に対応する図）である。
【図８】図６に示すような押出部の押出部材が退避位置にあるときの当該押出部の構成を示す上面図である。
【図９】図７に示すような押出部の押出部材が押出位置にあるときの当該押出部の構成を示す上面図である。
【図１０】紙幣が集積部に収容されるときの一連の動作を示す説明図である。
【図１１】本発明の変形例に係る紙幣処理機における、紙幣が集積部に収容されるときの一連の動作を示す説明図である。
【図１２】本発明の更なる変形例に係る紙幣処理機の集積部の構成を示す説明図である。
【図１３】本発明の更なる変形例に係る紙幣処理機における、集塵機構が設けられたときの構成を示す構成図である。
【発明を実施するための最良の形態】
【００３０】
以下、図面を参照して本発明の実施の形態について説明する。本実施の形態において、紙幣を処理するための紙幣処理機として本発明の紙葉類処理機を用いた場合について説明を行っている。しかしながら、本発明の紙葉類処理機の処理対象となる紙葉類を紙幣以外のもの（例えば小切手）とすることもできる。【００３１】
まず、図１乃至図５、とりわけ図１および図５により、本実施の形態の紙幣処理機の全体構成について説明する。【００３２】
図１は、本実施の形態における紙幣処理機１の外観を示す斜視図である。図１に示すように、紙幣処理機１は、略直方体形状の筐体９２、ホッパ１１、第１の集積部（第１のスタッカ）３０、第２の集積部（第２のスタッカ）４０およびリジェクト部５０を備えている。【００３３】
また、図５は、図１に示す紙幣処理機１の内部構成の概略を示す概略構成図であり、主に搬送系とセンサ系を示している。図５に示すように、紙幣処理機１の筐体９２内には搬送部２０が設けられており、この搬送部２０により、筐体９２内で紙幣が１枚ずつ順次搬送されるようになっている。また、紙幣処理機１には制御部９０が設けられており、この制御部９０が搬送部２０や後述する押出部材駆動機構４５、分岐部材６０、６２等の制御を行うようになっている。【００３４】
以下、このような構成からなる紙幣処理機１の各構成要素の詳細について説明する。【００３５】
ホッパ１１は、オペレータによって複数の紙幣が積層状態で載置されるようになっており、紙幣繰出装置１０によってこのホッパ１１に収容された紙幣が１枚ずつ紙幣処理機１の筐体９２の内部に繰り入れられるようになっている。【００３６】
紙幣繰出装置１０は、紙幣の繰り出しを行うフィードローラ１２、フィードローラ１２に対向するよう設けられ当該フィードローラ１２との間にゲート部を形成するゲートローラ（逆転ローラ）１４、およびホッパ１１に収容された紙幣をフィードローラ１２に蹴り出すキッカローラ１６、１８から構成されている。なお、図５においてはキッカローラ１６、１８が前後に２つ設けられた例について図示しているが、このような例に限定されることはなく、キッカローラが一つ（例えばキッカローラ１６）のみ設けられるようになっていてもよい。紙幣繰出装置１０により筐体９２内に取り込まれた紙幣は搬送部２０により搬送されるようになっている。【００３７】
搬送部２０は、略水平方向に延びる上部搬送機構２２と、上部搬送機構２２よりも下方において略水平方向に延びる下部搬送機構２４と、上部搬送機構２２および下部搬送機構２４の間に設けられた中間搬送機構２６とを有している。図５に示すように、各搬送機構２２、２４、２６からなる搬送部２０は略Ｕ字形状となっている。ここで、紙幣繰出装置１０により筐体９２の内部に取り込まれた紙幣は、上部搬送機構２２、中間搬送機構２６、下部搬送機構２４の順に１枚ずつ搬送されるようになっている。上部搬送機構２２、中間搬送機構２６および下部搬送機構２４はそれぞれ、ベルト搬送機構が組み合わされたものからなる。ベルト搬送機構は、一対または３以上のローラおよび各ローラに張架された例えばゴムベルトから構成されている。【００３８】
図５に示すように、搬送部２０の上部搬送機構２２には識別部２８が介設されている。この識別部２８は、上部搬送機構２２において搬送される紙幣の正損、真偽、金種、方向、表裏、搬送状態等を検知するようになっている。ここで、紙幣の搬送状態とは、紙幣が斜行していないか、紙幣が重送していないか、前後の紙幣が連鎖していないか、等のことをいう。識別部２８による識別結果に係る情報は制御部９０に送られるようになっている。【００３９】
図５に示すように、搬送部２０の下部搬送機構２４の更に下方には、２つの集積部３０、４０が並列に配設されている。各集積部３０、４０は、筐体９２内に取り込まれた紙幣のうち識別部２８により正常であると判定された紙幣を積層状態で収容するようになっている。図１に示すように、各集積部３０、４０に集積された紙幣はオペレータにより自在に取り出し可能となっている。これらの集積部３０、４０の構成の詳細については後述する。【００４０】
第１の集積部３０および第２の集積部４０にはそれぞれ回転式整札用の羽根車３２、４２が設けられている。各羽根車３２、４２は、各分岐ライン３３、４３から各集積部３０、４０内に向かって放出される紙幣を、隣り合う羽根部分３２ａ（または４２ａ）の間のスペースに受け入れ、紙幣の向きや位置が整えられた状態でこの紙幣を各集積部３０、４０に収容させる機能を有している。各羽根車３２、４２は、後述する各集積部３０、４０の側壁３０ａ、４０ａに取り付けられており、紙幣を各集積部３０、４０から取り出す方向（図２や図５の紙面に直交する方向）に延びる軸を中心として図２や図５の反時計回りに回転するようになっている。【００４１】
また、図５に示すように、下部搬送機構２４には、２つの分岐部材６０、６２が直列に設けられている。各分岐部材６０、６２は、例えば爪形状のものからなり、下部搬送機構２４において搬送される紙幣のうち一部の紙幣をこの下部搬送機構２４から分岐させてそれぞれ分岐ライン３３、４３に送るようになっている。分岐ライン３３、４３はそれぞれ第１の集積部３０、第２の集積部４０に接続されており、各分岐部材６０、６２により下部搬送機構２４から分岐させられた紙幣はそれぞれ各分岐ライン３３、４３を経て第１の集積部３０、第２の集積部４０に送られるようになっている。【００４２】
下部搬送機構２４の下流側端部には、紙幣の繰り出しを行う放出ローラ５４および放出ローラ５４に対向するよう設けられた対向ローラ５６が設けられている。そして、下部搬送機構２４の下流側端部に送られた紙幣は、この放出ローラ５４と対向ローラ５６の間から放出されるようになっている。そして、この放出させられた紙幣は、放出ローラ５４の近傍に設けられた回転式の札叩きゴム５５によりリジェクト部５０に集積されるようになっている。このような回転式の札叩きゴム５５によって、放出ローラ５４と対向ローラ５６の間から放出させられた紙幣の後端縁が叩かれることによりリジェクト部５０においてリジェクト紙幣を集積しやすくなる。
図１および図５に示すようにリジェクト部５０にはストッパ５２が設けられている。このストッパ５２により、放出ローラ５４と対向ローラ５６の間から放出された紙幣がリジェクト部５０からはみ出して筐体９２外へ放出されるのが防止される。ストッパ５２は図５の時計回りに手動で回転させることができるようになっており、オペレータが手動でこのストッパ５２を図５の時計回りに回転させることにより、リジェクト部５０に収容された紙幣を自在に取り出すことができるようになっている。【００４３】
次に、紙幣処理機１のセンサ系について説明する。図５に示すように、紙幣繰出装置１０には、ホッパ１１に紙幣が集積されているか否かを検知するセンサ７０が設けられている。また、搬送部２０における上部搬送機構２２の入口部分にはセンサ７１が設けられており、このセンサ７１は、紙幣が筐体９２内に確実に取り込まれたことを検知するようになっている。センサ７２は識別部２８の一部を構成する透過センサからなり、このセンサ７２は光の透過率により紙幣の金種や真偽等を検知するようになっている。【００４４】
センサ７３、７４、７５はそれぞれ搬送部２０における下部搬送機構２４に直列に配設されており、各センサ７３、７４、７５の間に分岐部材６０、６２が位置するようになっている。センサ７３は分岐部材６０の上流側に設置されており、下部搬送機構２４において搬送される全ての紙幣を検知するようになっている。一方、センサ７４は分岐部材６０の下流側に設置されており、下部搬送機構２４において搬送される紙幣のうち分岐部材６０により分岐させられなかった紙幣のみを検知するようになっている。また、センサ７５は分岐部材６２の下流側に設置されており、下部搬送機構２４において搬送される紙幣のうち分岐部材６２により分岐させられなかった紙幣のみを検知するようになっている。【００４５】
センサ７６、７７はそれぞれ分岐ライン３３、４３に設けられており、それぞれ、下部搬送機構２４から分岐させられて各分岐ライン３３、４３に送られた紙幣を検知するようになっている。【００４６】
第１の集積部３０、第２の集積部４０の中段部分にはそれぞれセンサ７８、７９が設けられている。各センサ７８、７９は、各集積部３０、４０において紙幣が立位状態となる等、紙幣が各集積部３０、４０において異常状態で集積されたときにこのことを検知するようになっている。さらに、第１の集積部３０、第２の集積部４０の下段部分にはそれぞれセンサ８０、８１が設けられている。各センサ８０、８１は、各集積部３０、４０に紙幣が収容されているか否かを検知するようになっている。また、リジェクト部５０にもセンサ８２が設けられており、このセンサ８２は、リジェクト部５０に紙幣が収容されているか否かを検知するようになっている。【００４７】
各センサ７０〜８２はそれぞれ制御部９０に接続されており、各センサ７０〜８２による検知結果は制御部９０に送られるようになっている。【００４８】
制御部９０は、各センサ７０〜８２による紙幣の検知結果および識別部２８による紙幣の識別結果に基づいて、紙幣繰出装置１０、搬送部２０の各搬送機構２２、２４、２６、後述する押出部材駆動機構４５および分岐部材６０、６２等を制御するようになっている。具体的には、制御部９０は、識別部２８による紙幣の識別結果に基づいて、正常であると判定された紙幣を下部搬送機構２４から分岐させて集積部３０、４０のいずれか一方に送るよう分岐部材６０、６２を制御するようになっている。この制御部９０による制御内容の更なる詳細については後述する。【００４９】
次に、各集積部３０、４０の構成の詳細について図２乃至図４等を用いて以下に説明するとともに、各集積部３０、４０に設けられた押出部について第２の集積部４０に設けられた押出部を例示しながら図３、図４、図６乃至図１０等を用いて以下に詳述する。【００５０】
各集積部３０、４０の内部には、紙幣を集積状態で収容するための収容スペース３０ｐ、４０ｐがそれぞれ設けられている。また、各集積部３０、４０において、図１乃至図４等に示すように筐体９２の手前側が開口しており、この開口からオペレータが各収容スペース３０ｐ、４０ｐに収容された紙幣を手で自在に取り出すことができるようになっている。ここで、図２乃至図５に示すように、収容スペース３０ｐ、４０ｐは、それぞれ、羽根車３２、４２が設置された一の側壁３０ａ、４０ａ、底板３０ｂ、４０ｂ、天井３０ｅ、４０ｅ、一の側壁３０ａ、４０ａと対向するように設けられた他の側壁３０ｄ、４０ｄ、および開口と反対側にある背面側の側壁３０ｃ、４０ｃに囲まれた空間から構成されている。【００５１】
また、各集積部３０、４０に形成される開口は、当該開口から紙幣を取り出す方向（図５の紙面に直交する方向）が、下部搬送機構２４から分岐ライン３３、４３を介して各集積部３０、４０へ紙幣が送られる方向（図５における紙面に沿った方向）と略直交するような位置に設けられている。ここで、下部搬送機構２４から各集積部３０、４０へ紙幣が送られる方向は、当該紙幣の短手方向となっている。このため、オペレータは紙幣をその長手方向に各集積部３０、４０から取り出すことができるようになる。あるいは、下部搬送機構２４から各集積部３０、４０へ紙幣が送られる方向が、当該紙幣の長手方向となっていてもよい。このときには、オペレータは紙幣をその短手方向に各集積部３０、４０から取り出すこととなる。【００５２】
図２等に示すように、各底板３０ｂ、４０ｂは、羽根車３２、４２が設けられた側壁３０ａ、４０ａに向かって鉛直方向下方に傾斜するようになっている。このため、図２等に示すように、各集積部３０、４０は、紙幣の束を斜めに傾いた状態で収容することとなる。底板３０ｂ、４０ｂが側壁３０ａ、４０ａに向かって鉛直方向下方に傾斜している理由としては、各集積部３０、４０に収容された紙幣の束を取り出す際に、この紙幣の束が斜めに傾いた状態で集積されていることにより、各集積部３０、４０の側壁３０ａ、４０ａにおいて紙幣の端縁を揃えることができることが挙げられる。【００５３】
また、図６および図７に示すように、底板３０ｂ、４０ｂにおいて、集積部３０、４０の開口側（図６、図７の左下側）の端縁に切り欠き部分（図６、図７の符号４０ｇ参照）が形成されている。このことにより、押出部材４４により開口に向かって押し出された紙幣の束について、オペレータは紙幣が集積された底板４０ｂにおける開口側の端縁に形成された切り欠き部４０ｇに指等を入れることによりこの押し出された紙幣の束を容易に取り出すことができるようになる。【００５４】
さらに、図３および図４に示すように、各集積部３０、４０には、当該集積部３０、４０の収容スペース３０ｐ、４０ｐに収容された紙幣を開口に向かって押し出すための押出部が設けられている。ここで、各集積部３０、４０に設けられた押出部について第２の集積部４０に設けられた押出部を例示しながら説明する。第２の集積部４０に設けられた押出部は、当該第２の集積部４０に収容スペース４０ｐに収容された紙幣に接触して当該紙幣を開口に向かって（図３、図４の右方向に）押し出す押出部材４４と、この押出部材４４を開口に向かって駆動する押出部材駆動機構４５とから構成されている。【００５５】
押出部を構成する押出部材４４および押出部材駆動機構４５について図３、図４、図６乃至図１０等を用いて更に詳しく説明する。
押出部材４４は、押出部材駆動機構４５により駆動されることによって、集積部４０の奥行き方向（図２の紙面に直交する方向、図３および図４の左右方向）に往復移動するようになっている。具体的には、押出部材４４は、集積部４０の収容スペース４０ｐに紙幣が集積される際にこの紙幣から退避したような退避位置（図３参照）と、この退避位置よりも集積部４０の開口に接近した位置である押出位置（図４参照）との間で往復移動するようになっている。そして、図３に示すように、押出部材４４は、集積部４０に紙幣が集積される際には退避位置で待機し、この集積部４０の収容スペース４０ｐに紙幣が収容された後、押出部材４４が退避位置から押出位置に移動したときに図４に示すように当該押出部材４４が収容スペース４０ｐに収容された紙幣を開口に向かって押し出すようになっている。その後、押出部材４４は押出位置（図４参照）から退避位置（図３参照）まで戻る。このような押出部材４４の往復移動は、前述のように押出部材駆動機構４５により行われる。【００５６】
図６乃至図１０に示すように、押出部材４４は、約１２０°で「へ」の字形状に折れ曲がった板状の部材からなる前段部分４４ａと、当該前段部分４４ａに固く取り付けられた後段部分４４ｂとから構成されており、後段部分４４ｂには、収容スペース４０ｐに収容された紙幣に接触してこの紙幣を開口に向かって押し出す押出面４４ｃが設けられている。前段部分４４ａは、図６に示すような退避位置にあるときにおいて収容スペース４０ｐの底面および側面の一部を構成するようになっており、この前段部分４４ａが押出位置に移動したときには図７に示すように底板４０ｂおよび側壁４０ｄの裏側にもぐるようになっている。ここで、図６および図７に示すように、前段部分４４ａは、底板４０ｂの裏面に噛み合うような櫛歯形状となっている。このため、収容スペース４０ｐに収容された紙幣が、当該収容スペース４０ｐを構成する底板４０ｂと前段部分４４ａとの間の隙間に入り込んでしまい第２の集積部４０において紙幣の詰まり等のトラブルが発生することを防止することができるようになっている。【００５７】
押出部材４４の後段部分４４ｂは、図６および図７に示すように前段部分４４ａの後部に固定されている。この後段部分４４ｂが図６に示す退避位置にあるときにおいては、当該後段部分４４ｂに設けられた押出面４４ｃが収容スペース４０ｐの背面の一部を構成するようになっている。一方、この後段部分４４ｂが押出位置に移動したときには図７に示すように収容スペース４０ｐ内に進出するようになっている。ここで、図６および図７に示すように、後段部分４４ｂは、背面側の側壁４０ｃと噛み合うような櫛歯形状となっている。このため、収容スペース４０ｐに収容された紙幣が、当該収容スペース４０ｐを構成する背面側の側壁４０ｃと後段部分４４ｂとの間の隙間に入り込んでしまい第２の集積部４０において紙幣の詰まり等のトラブルが発生することを防止することができるようになっている。【００５８】
図８および図９に示すように、押出部材駆動機構４５は例えばモータからなり、軸４６ａを中心として略長方形形状の第１のカム４６を回転させるようになっている。この第１のカム４６には突起部４６ｂが形成されている。また、第１のカム４６と押出部材４４の前段部分４４ａとを接続する略棒形状の第２のカム４７が設けられており、この第２のカム４７はその中央部分に設けられた軸４７ａを中心として回転するようになっている。第２のカム４７の一端４７ｃは前段部分４４ａの裏面に回転自在に取り付けられており、一方第２のカム４７の他端には当該第２のカム４７に沿って延びる細長い貫通孔４７ｂが形成されている。この貫通孔４７ｂ内には第１のカム４６の突起部４６ｂが嵌め込まれており、第１のカム４６が軸４６ａを中心として回転するとこの第１のカム４６の突起部４６ｂが細長い貫通孔４７ｂ内を往復移動することにより第２のカム４７が軸４７ａを中心として揺動するようになっている。また、図８および図９に示すように、押出部材４４の前段部分４４ａおよび後段部分４４ｂを一定の方向（図８および図９の左右方向）に案内する案内レール４８が第２の集積部４０に設置されている。【００５９】
押出部材駆動機構４５と押出部材４４との間に上述のようなカム４６、４７が設けられていることにより、押出部材駆動機構４５が軸４６ａを中心として第１のカム４６を図８の時計回りに回転させると第２のカム４７は軸４７ａを中心として図８に示す位置と図９に示す位置との間で揺動する。そして、この第２のカム４７の一端４７ｃに取り付けられた押出部材４４も案内レール４８に沿って図６や図８に示す位置（退避位置）と図７や図９に示す位置（押出位置）との間で往復移動するようになる。【００６０】
ここで、押出部材４４が退避位置から押出位置に移動する際などにおいて、収容スペース４０ｐを構成する底板４０ｂや側壁４０ｄと押出部材４４との間で紙幣が詰まってしまい当該押出部材４４の動作が停止してしまった場合であっても、オペレータは手動で押出部材４４を押出位置から退避位置に戻すことによりこの詰まった紙幣を取り出すことができる。【００６１】
次に、このような構成からなる紙幣処理機１の動作について説明する。【００６２】
まず、オペレータにより、複数の紙幣が積層状態でホッパ１１に載置される。ホッパ１１に収容された紙幣は紙幣繰出装置１０によって１枚ずつ紙幣処理機１の筐体９２の内部に繰り入れられる。筐体９２の内部に取り込まれた紙幣は搬送部２０により搬送される。具体的には、筐体９２の内部に取り込まれた紙幣は、上部搬送機構２２、中間搬送機構２６、下部搬送機構２４の順に搬送される。【００６３】
紙幣が上部搬送機構２２により搬送される際に、この紙幣は識別部２８により正損、真偽、金種、方向、表裏、搬送状態等が検知される。ここで、識別部２８において識別を行うことができなかった紙幣（例えば、破損した紙幣である損券等）や、識別が行われたが異常搬送状態（例えば、斜行等）にあるため集積部３０、４０への収容対象から除外された紙幣は、「リジェクト紙幣」と判定され、リジェクト部５０に送るべき対象とされる。一方、識別部２８において、予め設定された所定の条件を満たし正常であると判定された紙幣は各集積部３０、４０に収容すべき対象とされる。【００６４】
その後、紙幣は上部搬送機構２２から中間搬送機構２６を経て下部搬送機構２４に送られる。そして、下部搬送機構２４により搬送される紙幣のうち、正常な紙幣は分岐部材６０、６２によりこの下部搬送機構２４から分岐させられて各集積部３０、４０に送られることとなる。一方、上部搬送機構２２において搬送されるある紙幣の識別部２８による識別結果が「リジェクト紙幣」であった場合には、この紙幣はリジェクト部５０に送られる。【００６５】
下部搬送機構２４から各集積部３０、４０に送られた紙幣は、各収容スペース３０ｐ、４０ｐに積層状態で収容されることとなる。
そして、各集積部３０、４０の収容スペース３０ｐ、４０ｐに収容された紙幣の束は、押出部材４４により各集積部３０、４０の開口に向かって押し出される。具体的には、制御部９０が押出部材駆動機構４５を制御し、この押出部材駆動機構４５が押出部材４４を図３に示すような退避位置と図４に示すような押出位置との間で往復移動させることにより、押出部材４４による紙幣の束の押し出しが行われる。【００６６】
ここで、制御部９０による押出部材駆動機構４５の制御方法として様々な方法が挙げられる。以下にこれらの制御方法について順に説明する。【００６７】
第１の制御方法においては、制御部９０は、予め設定された枚数の紙幣が例えば第２の集積部４０に送られたことがセンサ７７により検知された場合に、この第２の集積部４０の押出部材４４が収容スペース４０ｐに収容された紙幣を集積部４０の開口に向かって押し出すよう押出部材駆動機構４５を制御する。このような第１の制御方法によれば、収容スペース４０ｐに収容された紙幣は予め設定された所定枚数の束ごとに開口に向かって押し出されるようになるので、オペレータは紙幣を所定枚数の束ごとに第２の集積部４０から取り出すことができるようになる。なお、この第１の制御方法においては、予め設定された枚数の紙幣が第２の集積部４０ではなく第１の集積部３０に送られた場合であっても、この第１の集積部３０に送られる紙幣の枚数がセンサ７６により検知されることにより、押出部材の制御が同様に行われることとなる。【００６８】
なお、この際に、第１の集積部３０および第２の集積部４０が同一の金種の紙幣を収容するようになっており、予め設定された枚数の紙幣が第１の集積部３０または第２の集積部４０のいずれかに全て送られる前にこの第１の集積部３０または第２の集積部４０における紙幣の収容枚数が最大収容枚数に達した場合には、引き続き、未だ紙幣の収容枚数が最大収容枚数に達していない他の集積部に対して紙幣が送られるようになっていてもよい。この場合、予め設定された枚数の紙幣が第１の集積部３０および第２の集積部４０に分散されて送られたことがセンサ７６、７７により検知された場合に、各集積部３０、４０の押出部材が収容スペース３０ｐ、４０ｐに収容された紙幣を開口に向かって押し出すよう各押出部材の制御が行われる。【００６９】
第２の制御方法においては、制御部９０は、例えば第２の集積部４０における紙幣の収容枚数が、予め設定された当該第２の集積部４０の最大収容枚数に達した場合に、この第２の集積部４０の押出部材４４が収容スペース４０ｐに収容された紙幣を集積部４０の開口に向かって押し出すよう押出部材駆動機構４５を制御する。このような第２の制御方法によれば、第２の集積部４０にこれ以上紙幣を収容することができなくなった場合に収容スペース４０ｐに収容された紙幣が第２の集積部４０の開口に向かって押し出されるので、オペレータは第２の集積部４０の最大収容枚数の束からなる紙幣を当該集積部４０から取り出すことができるようになる。なお、この第２の制御方法においては、第２の集積部４０ではなく第１の集積部３０に最大収容枚数の紙幣が送られた場合であっても、押出部材の制御が同様に行われることとなる。【００７０】
第３の制御方法においては、制御部９０は、予め設定された枚数の紙幣が例えば第２の集積部４０に送られたことがセンサ７７により検知された場合には、制御部９０は搬送部２０による紙幣の搬送を中断させる。その後、第２の集積部４０の押出部材４４が収容スペース４０ｐに収容された紙幣を集積部４０の開口に向かって押し出すよう押出部材駆動機構４５を制御する。そして、第２の集積部４０において押出部材４４により開口に向かって押し出された紙幣が当該集積部４０から抜き取られたことがセンサ８１により検知された場合に、制御部９０は搬送部２０による紙幣の搬送を再開させる。このような第３の制御方法によれば、オペレータは紙幣を所定枚数の束ごとに第２の集積部４０から取り出すことができるようになり、しかも、オペレータが紙幣の束を第２の集積部４０から取り出した後に各集積部３０、４０への紙幣の収容を自動的に再開させることができる。なお、この第３の制御方法においては、予め設定された枚数の紙幣が第２の集積部４０ではなく第１の集積部３０に送られた場合であっても、押出部材の制御が同様に行われるとともに、第１の集積部３０から紙幣が抜き取られるまで搬送部２０による紙幣の搬送が中断されることとなる。【００７１】
第４の制御方法においては、制御部９０は、予め設定された枚数の紙幣が例えば第２の集積部４０に送られたことがセンサ７７により検知された場合には（図１０（ａ）参照）、制御部９０は搬送部２０による紙幣の搬送を中断させる。その後、第２の集積部４０の押出部材４４が収容スペース４０ｐに収容された紙幣を集積部４０の開口に向かって押し出すよう押出部材駆動機構４５を制御する（図１０（ｂ）参照）。そして、第２の集積部４０において押出部材４４により開口に向かって紙幣が押し出された後に制御部９０は搬送部２０による紙幣の搬送を再開させ、第２の集積部４０において前述の押し出された紙幣の上面に新たに紙幣を送るようにする（図１０（ｃ）参照）。このような第４の制御方法によれば、第２の集積部４０において、図１０（ｃ）に示すように紙幣を所定枚数の束ごとにその位置をずらすことができるようになるので、オペレータは紙幣を前述の所定枚数の束ごとに第２の集積部４０から取り出すことができるようになる。なお、この第４の制御方法においては、予め設定された枚数の紙幣が第２の集積部４０ではなく第１の集積部３０に送られた場合であっても、押出部材の制御が同様に行われ、この第１の集積部３０において紙幣を所定枚数の束ごとにその位置をずらすことができるようになる。【００７２】
第５の制御方法においては、制御部９０は、搬送部２０による各集積部３０、４０への紙幣の搬送処理が終了した場合に、各集積部３０、４０の押出部材が収容スペース３０ｐ、４０ｐに収容された紙幣を開口に向かって押し出すよう各集積部３０、４０の押出部材の制御を行う。このような第５の制御方法によれば、各集積部３０、４０への紙幣の搬送が終了した後に、オペレータは紙幣の束を各集積部３０、４０から取り出すことができるようになる。【００７３】
以上のような第１乃至第５のいずれかの制御方法により、あるいは更に他の制御方法により、各集積部３０、４０の収容スペース３０ｐ、４０ｐに収容された紙幣が所望のタイミングで各集積部３０、４０の開口に向かって押し出されることとなる。【００７４】
以上のように本実施の形態の紙幣処理機１によれば、集積部（例えば第２の集積部４０）の収容スペース４０ｐの奥方に積層状態で収容された紙幣は、押出部材４４により当該集積部４０の開口（オペレータから見て手前側）に向かって押し出されることとなる。このため、オペレータは、第２の集積部４０の収容スペース４０ｐに収容される紙幣を取り出しやすくなる。また、第２の集積部４０において集積状態が異常となっている紙幣、具体的には例えば立位状態で第２の集積部４０に収容されている紙幣をも当該集積部４０の開口に向かって押し出すことができるので、集積状態が異常である紙幣をオペレータが第２の集積部４０から取り忘れてしまうことを防止することができる。【００７５】
また、紙幣処理機１において、集積部は複数設けられており、押出部材は各集積部３０、４０に対応するよう複数設けられている。このため、複数の種類の紙幣をその種類別に、具体的には例えば金種別に、各集積部３０、４０に分類して収容させることができるようになる。【００７６】
なお、本発明による紙幣処理機１は、上記の態様に限定されるものではなく、様々の変更を加えることができる。【００７７】
例えば、紙幣処理機１に設けられる集積部の数は２つに限定されることはなく、３つ以上とすることもできる。この場合、各集積部に対応して、押出部材および押出部材駆動機構からなる押出部が設置されることとなる。【００７８】
また、集積部としては、紙幣を積層状態で収容するようなものに限定されることはなく、例えば立位状態で紙幣の束を収容するようになっていてもよい。【００７９】
また、制御部９０による押出部材駆動機構４５の制御方法としては、上述のものに限定されることはない。例えば、制御部９０は、識別部２８による紙幣の識別処理および搬送部２０による各集積部３０、４０への紙幣の搬送処理が終了したことが確定した場合に各集積部３０、４０の押出部材による紙幣の押し出しを行わせるが、紙幣の識別処理や搬送処理の終了が確定されていない場合には各集積部３０、４０の押出部材による紙幣の押し出しを行わせないように制御を行うようになっていてもよい。【００８０】
また、他の変形例においては、図１１に示すように、押出部材４９の上面に紙幣が集積されて当該押出部材４９の移動とともにこの押出部材４９上にある紙幣も移動するようになっていてもよい。この場合、図１１に示すように、押出部材４９の位置を検知するためのセンサ８３、８４、８５が押出部に設けられている。そして、押出部材駆動機構４５は、各センサ８３、８４、８５による押出部材４９の検知情報に基づいてこの押出部材４９を複数の位置に停止させることができるようになっている。また、押出部材４９は、集積部４０における収容スペース４０ｐを構成する側壁４０ａ、４０ｄと互いに噛み合うような櫛歯形状となっている。【００８１】
本変形例について図１１を用いて更に具体的に説明すると、まず図１１（ａ）に示すように押出部材４９の後端縁（図１１の左端縁）が第１のセンサ８３により検知されるような状態において紙幣が押出部材４９の上面に集積される。次に、押出部材４９が前方（図１１の右方）に移動して（図１１（ｂ）参照）、この押出部材４９の後端縁が第２のセンサ８４により検知されるような状態において紙幣が更に押出部材４９上に集積される（図１１（ｃ）参照）。次に、押出部材４９が更に前方に移動して（図１１（ｄ）参照）、この押出部材４９の後端縁が第３のセンサ８５により検知されるような状態において紙幣が更に押出部材４９上に集積される（図１１（ｅ）参照）。このようにして、図１１（ｅ）に示すように、押出部材４９上において紙幣を所定枚数の束ごとにその位置をずらすことができるようになる。【００８２】
以上のように、図１１に示す上述のような変形例によれば、押出部材４９を複数の位置に停止させることができることにより、この押出部材４９上に集積された紙幣も複数の位置に停止させることができるようになる。このため、紙幣を所定枚数の束ごとにその位置をずらすことができるようになるので、オペレータは紙幣を所定枚数の束ごとに集積部から取り出すことができるようになる。【００８３】
更に他の変形例としては、図１２（ａ）（ｂ）に示すように、各集積部（例えば、第２の集積部４０）は、押出部材４４により当該集積部４０の開口に向かって（図１２の右方に向かって）押し出された紙幣の端縁に接触してこの紙幣の端縁を揃えるための紙幣押さえ部材４０ｆを更に有していてもよい。このような紙幣押さえ部材４０ｆは、鉛直方向上方を向くように集積部４０の底板４０ｂの端部に設けられている。この場合には、押出部材４４により集積部４０の開口に向かって押し出された紙幣の端縁を容易に揃えることができるようになる。【００８４】
また、図１２（ｂ）の二点鎖線部分に示すように、紙幣押さえ部材４０ｆは、集積部４０から紙幣を取り出す方向へ向かって手前側下方に（図１２の右下方に）傾動させることができるようになっていてもよい。紙幣押さえ部材４０ｆが図１２（ｂ）における実線部分と二点鎖線部分との間で自在に傾動することができるようになっていることにより、オペレータは容易に紙幣の束を集積部４０から手前側に引き出すことができるようになる。【００８５】
また、更に他の変形例としては、図１３に示すように、紙幣処理機１の各集積部３０、４０に集塵機構が設けられていてもよい。
具体的には、集塵機構は、各集積部３０、４０の背面側の側壁３０ｃ、４０ｃにそれぞれ開口孔３０ｈ、４０ｈを介して連通しているダクト９４と、ダクト９４の下流側端部に設けられたファン９６と、ファン９６に接続されたフィルター９８とを備えている。そして、ファン９６が駆動することにより、各集積部３０、４０の収容スペース３０ｐ、４０ｐ内にある埃等は、背面側の側壁３０ｃ、４０ｃに設けられた開口孔３０ｈ、４０ｈによりダクト９４に吸引され、このダクト９４内に送られた埃等はファン９６によりフィルター９８に送られる。そして、フィルター９８において埃等が集められ、一方埃等が取り除かれた空気がファン９６から筐体９２の外部に放出される。【００８６】
図１３に示すような紙幣処理機１によれば、集積部３０、４０に設置されたセンサ７８、７９、８０、８１等に埃等がたまり、センサダウンによるエラーが発生することを防止することができる。また、集積部３０、４０にたまった埃等をオペレータが吸引してしまうことを防止することができる。さらに、フィルター９８に埃等が集められるので、オペレータはフィルター９８を掃除することにより集積部３０、４０にたまった埃等を容易に除去することができるようになる。
【図１】
2009028072.tif 000003
【図２】
2009028072.tif 000004
【図３】
2009028072.tif 000005
【図４】
2009028072.tif 000006
【図５】
2009028072.tif 000007
【図６】
2009028072.tif 000008
【図７】
2009028072.tif 000009
【図８】
2009028072.tif 000010
【図９】
2009028072.tif 000011
【図１０】
2009028072.tif 000012
【図１１】
2009028072.tif 000013
【図１２】
2009028072.tif 000014
【図１３】
2009028072.tif 000015
【国際調査報告】
2009028072.tif 000016
2009028072.tif 000017
2009028072.tif 000018
2009028072.tif 000019